(57)【要約】【課題】  特定の光ディスクであるか否かを、判別に用いるＬＥＤの輝度変化や個体間のバラツキがあっても正確に判別することができる光ディスク装置を提供する。【解決手段】  特定の光ディスク以外の光ディスクにはデータを書き込まないようにする光ディスク装置２０であって、装着された光ディスク２１に光を照射するＬＥＤ４０，４２，４４と、光ディスク２１にＬＥＤの光を照射したときの反射光を受光するカラーセンサ４６と、カラーセンサ４６が検出する複数の色の光強度と反射光そのものの光強度との比率を各色それぞれ算出する比率算出手段５３と、比率の閾値が予め記憶されている記憶手段５０と、比率算出手段５３で算出された比率と記憶手段５０内に記憶されている閾値とを比較し、光ディスク２１が特定の光ディスクであるか否かを判別する判別手段５２と、特定の光ディスクではないと判別した場合には、データ書き込みを実行しないように制御する制御手段５４とを具備する。【選択図】        図１
2006209878.tif 000002
【特許請求の範囲】
【請求項１】
特定の光ディスク以外の光ディスクにはデータを書き込まないようにする光ディスク装置であって、
装着された光ディスクに対して所定の波長の光を照射するＬＥＤと、
複数の色の光についてそれぞれの光強度を検出可能であって、前記ＬＥＤが光ディスクに所定の波長の光を照射したときの反射光を受光するカラーセンサと、
前記ＬＥＤが所定の波長の光を前記光ディスクへ照射したときの反射光における前記カラーセンサが検出するいずれかの色の光強度と、前記ＬＥＤが所定の波長の光を前記光ディスクへ照射したときの反射光そのものの光強度との比率を、カラーセンサが検出可能な各色それぞれについて算出する比率算出手段と、
前記ＬＥＤが所定の波長の光を前記光ディスクへ照射したときの反射光における前記カラーセンサが検出するいずれかの色の光強度と、前記ＬＥＤが所定の波長の光を前記光ディスクへ照射したときの反射光そのものの光強度との比率の閾値が予め記憶されている記憶手段と、
前記比率算出手段によって算出された各色の光強度と反射光そのものの光強度との比率と、前記記憶手段内に記憶されている閾値とを比較し、前記比率算出手段によって算出された全ての色における比率が前記閾値を越えている場合には、装着されている光ディスクが前記特定の光ディスクであると判別する判別手段と、
該判別手段が、装着されている光ディスクが前記特定の光ディスクではないと判別した場合には、データ書き込みを実行しないように制御する制御手段とを具備することを特徴とする光ディスク装置。
【請求項２】
前記カラーセンサは、
フォトダイオードの受光面側に、赤色、緑色、青色および透明の4種類のフィルターが配置可能なＲＧＢセンサであることを特徴とする請求項１記載の光ディスク装置。
【発明の詳細な説明】
【技術分野】
【０００１】
本発明は、光ディスクに対してデータの書き込みが可能な光ディスク装置に関し、より詳細には特定の光ディスクにのみデータの書き込みが可能な光ディスク装置に関する。
【背景技術】
【０００２】
データを書き込み可能なＣＤ−Ｒ、ＣＤ−ＲＷ、ＤＶＤ−ＲＡＭ、ＤＶＤ−Ｒ、ＤＶＤ−ＲＷ、ＤＶＤ+Ｒ、ＤＶＤ＋ＲＷ等の光ディスクは、容易に消費者が入手でき、消費者は光ディスク装置を用いて自らデータの書き込みを光ディスクに行うことが一般的である。
【０００３】
一方、喫茶店等におけるビジネスにおいては、店舗内に光ディスクへのデータ記録可能な光ディスク装置と、音楽等のコンテンツを予め記憶しているかまたはこのようなコンテンツを提供するＷＥＢサイト上からダウンロード可能に設けたコンテンツ提供装置（例えばパーソナルコンピュータ）を設置し、入店した顧客に顧客の好きなコンテンツを有料で光ディスクに記録してもらうサービスの提供が検討されている。
【０００４】
かかるサービスでは、店舗側でコンテンツおよび光ディスクを有料で販売し、顧客は店舗側で販売した光ディスクを用いてコンテンツの記録を行ってもらうことが考えられている。
しかし、顧客が自ら持ち込んだ光ディスクにコンテンツを勝手に記録するような事態になると、店舗側での光ディスクの販売による利益を上げることができない。
【０００５】
そこで、店舗側で販売する光ディスクには、一般に販売されている光ディスクとは異なる特性を持たせ、光ディスク装置ではこの特性から店舗側で販売した光ディスクであるか否かを判断し、店舗側で販売した光ディスクにのみコンテンツの記録が可能となるような機能を持たせることが望まれている。
【０００６】
一般に販売されている光ディスクとは異なる特性を有する光ディスクの例として、特許文献１や特許文献２に記載されているようなものが挙げられる。
特許文献１に開示されている光ディスクは、蛍光体微粒子を混入させた透明な特殊インクを用いて判別用のマークを光ディスク内に描いておき、所定波長の光を照射することにより、特殊インク中の蛍光体を発光させることでマークを浮かび上がらせ、特定の光ディスクであるか否かを判別しようとするものである。
【０００７】
また、特許文献２には、データ記憶用のカートリッジに対してカートリッジの種類に応じて異なる発光材料であるマーカーを設けておき、そのカートリッジがドライブでの使用に適しているか否かを識別する構成が開示されている。
【０００８】
上述したような蛍光体や発光材料を用いた特定の光ディスクを光ディスク装置内で検出するには、蛍光体を発光させるために所定の波長の光を光ディスクに照射し、光ディスクの発光を検出する必要がある。
そこで、光ディスク装置内にＬＥＤとカラーセンサとを設け、ＬＥＤによって光ディスクに光を照射し、光ディスクからの反射光をカラーセンサで検出可能な色それぞれについての光強度を検出し、この光強度の大きさに基づいて特定の光ディスクか否かを判別する方法が提案されている。
【０００９】
【特許文献１】特開平７−１９２３８５号公報
【特許文献２】特表２００１−５１７８４７号公報
【発明の開示】
【発明が解決しようとする課題】
【００１０】
光ディスクに光を照射する光源としては、一定の波長の光を照射でき、且つ価格面や安定性の面からもＬＥＤを用いることが望ましい。
しかし、ＬＥＤであっても、経年変化や温度変化により発光される光強度は変化するものであり、またＬＥＤの個体差により発光される光強度は異なる。
したがって、ＬＥＤによって所定の光を光ディスクに照射し、その反射光をカラーセンサで各色別の光強度を測定し、予め決定しておいた閾値と比較することで特定の光ディスクかどうかを判別する場合、ＬＥＤが照射する光強度が変化してしまうと反射光強度もこれに伴って変化してしまい、正確な判別ができないという課題がある。
【００１１】
そこで、本発明の目的は、上記課題を解決すべくなされ、その目的とするところは、特定の光ディスクであるか否かを、判別に用いるＬＥＤの輝度変化や個体間のバラツキがあっても正確に判別することができる光ディスク装置を提供することにある。
【課題を解決するための手段】
【００１２】
本発明にかかる光ディスク装置によれば、特定の光ディスク以外の光ディスクにはデータを書き込まないようにする光ディスク装置であって、装着された光ディスクに対して所定の波長の光を照射するＬＥＤと、複数の色の光についてそれぞれの光強度を検出可能であって、前記ＬＥＤが光ディスクに所定の波長の光を照射したときの反射光を受光するカラーセンサと、前記ＬＥＤが所定の波長の光を前記光ディスクへ照射したときの反射光における前記カラーセンサが検出するいずれかの色の光強度と、前記ＬＥＤが所定の波長の光を前記光ディスクへ照射したときの反射光そのものの光強度との比率を、カラーセンサが検出可能な各色それぞれについて算出する比率算出手段と、前記ＬＥＤが所定の波長の光を前記光ディスクへ照射したときの反射光における前記カラーセンサが検出するいずれかの色の光強度と、前記ＬＥＤが所定の波長の光を前記光ディスクへ照射したときの反射光そのものの光強度との比率の閾値が予め記憶されている記憶手段と、前記比率算出手段によって算出された各色の光強度と反射光そのものの光強度との比率と、前記記憶手段内に記憶されている閾値とを比較し、前記比率算出手段によって算出された全ての色における比率が前記閾値を越えている場合には、装着されている光ディスクが前記特定の光ディスクであると判別する判別手段と、該判別手段が、装着されている光ディスクが前記特定の光ディスクではないと判別した場合には、データ書き込みを実行しないように制御する制御手段とを具備することを特徴としている。
【００１３】
この構成を採用することによる作用は以下の通りである。
すなわち、本発明では、特定の光ディスクであるか否かの判別は、光ディスクにＬＥＤで光を照射したときの反射光をカラーセンサで検出した各色の反射光強度を基準として行なうのではなく、反射光をカラーセンサで検出した各色の反射光強度と反射光そのままの強度との比率を算出し、この比率を基準として行なう。
したがって、例えば経年変化や温度ドリフト等の原因によりＬＥＤの輝度が低下したような場合であっても、それに伴って光ディスクからの反射光強度も低下するので、反射光強度だけを基準とすると正確な判別ができないが、ある色の反射光強度と、反射光そのままの通常の反射光強度との比率はＬＥＤの輝度変化にかかわらず一定であるから、この比率を基準とすればＬＥＤの輝度変化にかかわらず正確な判別ができる。
【００１４】
また、ＬＥＤは、個別に多少は輝度が異なっていることもあり、反射光強度を基準として判定を行なう場合には、全ての光ディスク装置に対して反射光強度の閾値を同一の値にすると、正確な判定が行えない光ディスク装置がでてくるおそれもある。したがって、かかる場合には光ディスク装置毎に反射光強度の閾値を調整しなくてはならない。しかし、本発明のように、ある色の反射光強度と反射光そのままの通常の反射光強度との比率は輝度の違いに対して影響が無いので、全ての光ディスク装置に対して比率の閾値としては同一の値を予め設定しておくことができる。このため、光ディスク装置の出荷時の設定の手間も省くことができる。
【００１５】
また、前記カラーセンサは、フォトダイオードの受光面側に、赤色、緑色、青色および透明の4種類のフィルターが配置可能なＲＧＢセンサであることを特徴としてもよい。
この構成によれば、ＲＧＢセンサにおいてフォトダイオードの受光面側に透明のフィルターを配置している場合に反射光そのままの光強度が測定でき、各色の光強度との比率の算出が容易に行なわれる。
【発明の効果】
【００１６】
本発明にかかる光ディスク装置によれば、装着された光ディスクが特定の光ディスクである場合にのみデータの書き込みを実行する際の特定の光ディスクであるか否かの判定を、正確に行なうことができ、且つ光ディスク装置出荷時の設定も容易である。
【発明を実施するための最良の形態】
【００１７】
(実施例)
以下、本発明にかかる好適な実施例を添付図面に基づいて説明する。
まず、本発明の光ディスク装置の構成を、図１に基づいて説明する。
光ディスク装置２０は、装着された光ディスク２１にデータ書き込み可能に設けられており、装着された光ディスク２１が特定の光ディスクか否かを判別し、特定の光ディスクである場合にのみデータ書き込み可能とする機能を有するものである。
【００１８】
まず、光ディスク装置２０における通常の動作を実行する構成要素について説明する。
光ディスク装置２０は、光ディスク２１を回転させるスピンドルモータ２２と、光ディスク２１にレーザ光を照射すると共に光ディスク２１から反射されたレーザ光を受光する光ピックアップ２４とを具備している。
光ピックアップ２４は、送りモータ２７の駆動によりスレッド軸２５上を光ディスク２１の径方向に移動可能に設けられている。
【００１９】
光ピックアップ２４で受光した光ディスク２１からのレーザ反射光強度信号ａは、ＲＦアンプ２６に出力される。ＲＦアンプ２６では、トラッキングエラー信号ｂ、フォーカスエラー信号ｃ、ウォブル信号ｄ等の各制御信号が生成される。
ＲＦアンプ２６で生成されたトラッキングエラー信号ｂ、フォーカスエラー信号ｃは、サーボプロセッサ２８に入力され、サーボプロセッサ２８はこれら制御信号に基づいて、光ピックアップ２４のトラッキングサーボ、フォーカスサーボを制御する。
ウォブル信号ｄは、ＰＬＬ回路３１に入力され、ＰＬＬ回路３１ではウォブル信号に基づいてデータ書き込み時に用いる同期信号ｅが生成される。同期信号ｅは、後述するエンコーダ３０に入力される。
【００２０】
光ディスク２１へ書き込むべきデータは、エンコーダ３０内に入力され、データのＥＦＭ変調やＥＦＭ＋変調等のエンコード処理がなされ、ＰＬＬ回路３１から入力された同期信号ｅに同期される。
エンコーダ３０でエンコード処理されたデータは、レーザドライバ３２に入力される。レーザドライバ３２では、エンコードされたデータに基づいて光ピックアップ２４内のレーザダイオードの駆動電流を制御し、光ピックアップ２４にデータの書き込みを行なわせる。
【００２１】
光ディスク装置２０全体の動作は、ＣＰＵ４８が制御している。
ＣＰＵ４８は、スピンドルモータ２２や、サーボプロセッサ２８その他の構成要素を制御し、データ読み出し時やデータ書き込み時の動作を統括制御する。
【００２２】
以下、本発明に特有な構成要素について説明する。まず、特定の光ディスクについて説明する。
本実施例で想定している特定の光ディスクとは、光ディスクを構成する材料に蛍光体を混入させたものである。
蛍光体を混入させたことにより、特定の光ディスクに所定の波長の光を照射することによって該特定の光ディスクは発光する。この発光を検出することにより、光ディスクが特定の光ディスクであるか否かを判別することができる。
なお、特許請求の範囲および本明細書中でいう、ＬＥＤで光を照射したときの光ディスク２１からの反射光とは、光ディスク２１において単に反射する光だけではなく、光ディスク２１中で蛍光体が生ずる蛍光を含む概念である。
【００２３】
光ディスク装置２０内には、光ディスク２１に対して所定波長の光を照射するための機構が設けられている。具体的には、ＵＶを照射するＵＶＬＥＤ４０と、白色光を照射する白色ＬＥＤ４２と、青色光を照射する青色ＬＥＤ４４とが設けられている。
各ＬＥＤ４０，４２，４４は、装着された光ディスク２１の記録面側に光を照射できるように光ディスク２１に対して光ピックアップ２４と同一の側に設けられている。
【００２４】
光ディスク装置２０には、各ＬＥＤ４０，４２，４４が照射した光の光ディスク２１からの反射光を受光するために，カラーセンサの一例としてのＲＧＢセンサ４６が設けられている。
【００２５】
ＲＧＢセンサの平面図を図２に示す。
ＲＧＢセンサ４６は、赤（Ｒｅｄ）、緑（Ｇｒｅｅｎ）、青（Ｂｌｕｅ）の３色の光強度を検出可能であることに加え、特定の色ではなく通常の光（可視光領域全体）の光強度を検出可能な素子である。ＲＧＢセンサ４６は、微小なフォトダイオード４６ａが複数集合して形成されており、微小フォトダイオード４６ａの受光面側のそれぞれには赤のフィルターＲ、緑のフィルターＧ、青のフィルターＢおよび透明なフィルターＣのいずれかが設けられている。
【００２６】
赤のフィルターＲが配置されている部位では赤色光の光強度を検出し、緑のフィルターＧが配置されている部位では緑色光の光強度を検出し、青のフィルターＢが配置されている部位では青色光の光強度を検出し、透明のフィルターＣが配置されている部位では通常の光の光強度を検出する。
【００２７】
各ＬＥＤ４０，４２，４４のそれぞれの照射のオン―オフは、ＣＰＵ４８が制御している。ＣＰＵ４８は、各ＬＥＤ４０，４２，４４に対してオン―オフ制御信号ｆを出力し、各ＬＥＤによる各色の光の照射を切換えている。
【００２８】
ＲＧＢセンサ４６における各色のフィルターが設けられている微小フォトダイオード４６ａの切換えは、ＣＰＵ４８によって制御されている。
すなわち、ＣＰＵ４８は所定のタイミングでフィルター切換信号ｇをＲＧＢセンサ４６へ出力し、いずれの微小フォトダイオード４６ａで光強度を検出するかを制御することで、ＲＧＢセンサ４６が検出する光の色を選択している。
【００２９】
ＣＰＵ４８には、光ディスク判別用データが記憶されているＲＯＭ等の記憶手段５０が接続されている。
光ディスク判別用データとは、光ディスク２１が特定の光ディスクであると判定できる光強度に関するデータであって、ＵＶ、白色光および青色光が光ディスク２１へ照射された場合にＲＧＢセンサ４６が光ディスク２１からの反射光を受光したときのＲＧＢセンサで検出される赤色、青色、緑色のそれぞれの色の光強度を、それぞれの光を照射したときの反射光の通常の光強度で除算した値（各色の光強度と通常の光強度との比率）の閾値をいう。
【００３０】
すなわち、本実施例では、ＵＶを光ディスク２１に照射した場合にＲＧＢセンサ４６において検出される赤色光、緑色光および青色光の光強度を、ＵＶを光ディスク２１に照射した場合にＲＧＢセンサ４６において検出される透明なフィルターで検出された光強度で除算した値の閾値、白色光を光ディスク２１に照射した場合にＲＧＢセンサ４６において検出される赤色光、緑色光および青色光の光強度を、白色光を光ディスク２１に照射した場合にＲＧＢセンサ４６において検出される透明なフィルターで検出された光強度で除算した値の閾値、ならびに青色光を光ディスク２１に照射した場合にＲＧＢセンサ４６において検出される赤色光、緑色光および青色光の光強度を、青色光を光ディスク２１に照射した場合にＲＧＢセンサ４６において検出される透明なフィルターで検出された光強度で除算した値の閾値が記憶手段５０内に記憶されている。
【００３１】
さらに、ＣＰＵ４８には、ＲＧＢセンサ４６によって測定された各光強度の値を一旦記憶させておく測定結果記憶手段５５が設けられている。
測定結果記憶手段５５は、ＣＰＵ４８内部のメモリ領域であっても、ＣＰＵ外部に接続されているＲＡＭ等のメモリであってもよい。
【００３２】
ＣＰＵ４８は、ＲＧＢセンサ４６で検出されたＵＶ、白色および青色の光を照射した場合のそれぞれにおける赤色、緑色および青色の反射光強度と通常の反射光強度との比率を算出する比率算出手段５３と、比率算出手段５３によって算出された比率と記憶手段５０に記憶されている比率の閾値とを比較し、全ての比率が閾値を越えている場合には特定の光ディスク２１であると判別する判別手段５２と、判別手段５２によって特定の光ディスクであると判別された場合にのみデータ書き込み可能とし、特定の光ディスク以外の光ディスクであると判別された場合にはデータ書き込みを実行しないように各構成要素を制御する制御手段５４とを備えている。
このような、比率算出手段５３、判別手段５２および制御手段５４は、上記のような動作をするように記述された制御プログラムをＣＰＵ４８が読み込むことにより実行される。
【００３３】
また、上述したような特定の光ディスクであるか否かを判別するための機能としては、所定の光を照射した場合の各色の反射光強度と通常の反射光強度との比率を、これら比率の閾値と比較する方法だけではない。
例えば、図３に示すように、光ディスク２１がＣＤである場合、光ディスク２１の最内周に設けられているリードイン２９のＡＴＩＰ（Absolute Time In Pre-groove）には、製造メーカやディスクの種類といったＡＴＩＰ情報が光ディスク製造時に予め記録されているが、特定の光ディスクにはＡＴＩＰ情報に特定の光ディスクである旨のデータが記録されているはずなので、ＣＰＵ４８がこのＡＴＩＰ情報を読み込んで、判別手段５２がＡＴＩＰ情報を基に特定の光ディスクであるか否かを判別することもできる。
【００３４】
次に、光ディスク装置における特定の光ディスクの判別方法について、図４〜図６に基づいて説明する。
まず、ユーザが光ディスク２１を光ディスク装置２０内に挿入すると、図示しないトレイ等が駆動して光ディスク２１がスピンドルモータ２２の先端部のターンテーブルに装着される。これに伴い、ＣＰＵ４８は光ピックアップ２４に試しにレーザ光を照射させ、光ディスク２１からの反射光があった場合には、ＣＰＵ４８は光ディスク２１が装着されたことを検知する（ステップＳ１００）。
【００３５】
光ディスク２１が装着されたことが判明した場合には、ＣＰＵ４８は回転制御信号ｈを出力してスピンドルモータ２２を所定の回転速度で回転させる（ステップＳ１０２）と共に、送り制御信号ｉを出力して光ピックアップ２４の送りモータ２７を駆動させて光ピックアップ２４を光ディスク２１の最外周に移動させる（ステップＳ１０４）。
このように、光ピックアップ２４を光ディスク２１の最外周に移動させるのは、光ピックアップ２４をＵＶＬＥＤ４０、白色ＬＥＤ４２および青色ＬＥＤ４４から遠ざけることが理由である。すなわち、ＵＶＬＥＤ４０、白色ＬＥＤ４２および青色ＬＥＤ４４の照射時に光ピックアップ２４がその近傍に存在していると、これらＵＶ、白色光あるいは青色光を光ピックアップ２４が反射してしまい、ＲＧＢセンサ４６による光ディスク２１からの反射光の検出に影響を与えるからである。
【００３６】
そして、ＣＰＵ４８は、光ディスク２１に対して白色光を照射するように白色ＬＥＤ４２にオン−オフ制御信号ｆを出力し、ＲＧＢセンサ４６に対しては白色光の反射光に対して赤色、緑色および青色の３色の反射光強度Ａ１〜Ａ３ならびに透明のフィルタによって通常の反射光強度Ａ４を検出するようにフィルタ切換信号ｇを出力する（ステップＳ１０６、図６参照）。
白色光照射時に、ＲＧＢセンサ４６が検出した各色における光強度Ａ１〜Ａ３と通常の光強度Ａ４の値は、ＣＰＵ４８が、測定結果記憶手段５５内に記憶させておく。
【００３７】
次に、ＣＰＵ４８は、光ディスク２１に対してＵＶを照射するようにＵＶＬＥＤ４０にオン−オフ制御信号ｆを出力し、ＲＧＢセンサ４６に対してはＵＶの反射光に対して赤色、緑色および青色の３色の反射光強度Ｂ１〜Ｂ３ならびに透明のフィルタによって通常の反射光強度Ｂ４を検出するようにフィルタ切換信号ｇを出力する（ステップＳ１０８、図６参照）。
ＵＶ照射時に、ＲＧＢセンサ４６が検出した各色における光強度Ｂ１〜Ｂ３と通常の光強度Ｂ４の値は、ＣＰＵ４８が、測定結果記憶手段５５内に記憶させておく。
【００３８】
そして、ＣＰＵ４８は、光ディスク２１に対して青色光を照射するように青色ＬＥＤ４０にオン−オフ制御信号ｆを出力し、ＲＧＢセンサ４６に対しては青色光の反射光に対して赤色、緑色および青色の３色の反射光強度Ｃ１〜Ｃ３ならびに透明のフィルタによって通常の反射光強度Ｃ４を検出するようにフィルタ切換信号ｇを出力する（ステップＳ１１０、図６参照）。
青色光照射時に、ＲＧＢセンサ４６が検出した各色における光強度Ｃ１〜Ｃ３と通常の光強度Ｃ４の値は、ＣＰＵ４８が、測定結果記憶手段５５内に記憶させておく。
【００３９】
このように、本実施例によるステップＳ１０６、Ｓ１０８およびＳ１１０の工程によって検出される光強度の値は１２個である（図６参照）。
【００４０】
なお、ここでの例では、白色、ＵＶ、青色の順番にＬＥＤの光を照射させたが、本発明としては光ディスク２１に対して照射させていく光の順番は、この順番に限定されるものではなく、どのような順番で照射させてもよい。
【００４１】
また、白色、ＵＶ、青色の各光照射時のＲＧＢセンサ４６による反射光強度の測定も、赤色、緑色、青色、通常の反射光（透明フィルター）の順番で測定することに限定されるものではなく、どのような順番で光強度を検出してもよい。
【００４２】
そしてＣＰＵ４８は、送り制御信号ｉを出力して光ピックアップ２４の送りモータ２７を制御し、光ピックアップ２４を光ディスク２１の最内周に移動させる（ステップＳ１１２）。
そして、ＣＰＵ４８は、光ピックアップ２４に光ディスク２１のリードイン２９に記録されているＡＴＩＰ情報を読み出させる（ステップＳ１１４）。
【００４３】
ＡＴＩＰ情報は、ＲＦアンプ２６を介してＣＰＵ４８内に入力される。ＣＰＵ４８では入力されたＡＴＩＰ情報を解析して、当該光ディスク２１が特定の光ディスクであるか否かを判断する（ステップＳ１１６）。もしも、ＡＴＩＰ情報に特定の光ディスクである旨の記録がされていなければ、ＣＰＵ４８は、装着されている光ディスク２１は特定の光ディスクでは無いと判別する（ステップＳ１２１）。
ＣＰＵ４８がＡＴＩＰ情報を解析した結果、特定の光ディスクである旨の記録があれば、ステップＳ１１８へ移行する。
【００４４】
ステップＳ１１８では、ＣＰＵ４８の比率算出手段５３は、ステップＳ１０６、Ｓ１０８およびＳ１１０において予め測定して記憶させておいた、白色光、ＵＶおよび青色光を照射したときのＲＧＢセンサ４６における赤色、緑色および青色の反射光強度（Ａ１〜Ａ３、Ｂ１〜Ｂ３、Ｃ１〜Ｃ３）の値を、白色光、ＵＶおよび青色光を照射したときのＲＧＢセンサ４６における通常の反射光強度（Ａ４、Ｂ４、Ｃ４）の値で除算する。
すると、白色光、ＵＶおよび青色光を照射したときのそれぞれの場合において、反射光の通常の光強度に対する、赤色、緑色および青色の反射光強度の比率が算出される（図６参照）。
【００４５】
ＣＰＵ４８の判別手段５２は、白色光、ＵＶおよび青色光を照射したときのそれぞれの場合において、赤色、緑色および青色の反射光強度と通常の反射光強度との比率が算出されると、予め記憶させておいたディスク判別用データである各光強度の比率の閾値を記憶手段５０から取り出し、対応するそれぞれの比率の値を比較する（ステップＳ１２０）。
比較の結果、全てのＬＥＤ４０，４２，４４が照射した光における、ＲＧＢセンサ４６が検出可能な各色の反射光強度と通常の反射光強度との比率が、全て閾値を越えている場合には、特定の光ディスクであると判別する（ステップＳ１２２）。
【００４６】
ステップＳ１２０において、ＣＰＵ４８は、白色光、ＵＶおよび青色光を照射したときのそれぞれのＲＧＢセンサ４６における赤色、緑色および青色の反射光強度と通常の反射光強度に対する比率のうち、記憶手段５０から取り出した閾値を越えないものが１つでも存在している場合には、特定の光ディスクでは無いと判別する（ステップＳ１２１）。
このように、ＡＴＩＰ情報では特定の光ディスクであると判別された場合であっても、実際にＵＶ、白色および青色のそれぞれの光を照射して反射光を測定して判別することによって、判別の正確を期すことができる。
すなわち、通常の光ディスクに偽のＡＴＩＰ情報を記録し、蛍光体を混入させたように見た目の色を特定の光ディスクに模した偽特定光ディスクの製造も可能であるので、このような偽特定光ディスクを精度良く判別することができる。
【００４７】
なお、特定の光ディスクではないと判別された場合（ステップＳ１２１）には、ＣＰＵ４８の制御手段５４は、この光ディスクに対してはデータ書き込みをしないようにスピンドルモータ２２、光ピックアップ２４、エンコーダ３０等の各構成要素を制御する(ステップＳ１２３）。
【００４８】
一方、特定の光ディスクであると判別された場合（ステップＳ１２２）には、この光ディスクに対しては、ユーザの操作通りにデータの書き込みを実行すべく、ＣＰＵ４８の制御手段５４は、スピンドルモータ２２、光ピックアップ２４、エンコーダ３０等の各構成要素を制御する(ステップＳ１２４）。
【００４９】
なお、上述してきた実施例においては、ＵＶ、白色光、青色光の３種類の光を照射するＬＥＤを設けた場合についてのみ説明したが、本発明としては、ＬＥＤの種類はこれに限定されることはない。
【００５０】
以上本発明につき好適な実施例を挙げて種々説明したが、本発明はこの実施例に限定されるものではなく、発明の精神を逸脱しない範囲内で多くの改変を施し得るのはもちろんである。
【図面の簡単な説明】
【００５１】
【図１】本発明にかかる光ディスク装置の内部構成を示すブロック図である。
【図２】ＲＧＢセンサの構造について示す概略平面図である。
【図３】光ディスクのリードイン領域について説明する光ディスクの断面図である。
【図４】特定の光ディスクか否かを判別する方法について説明するフローチャートである。
【図５】図４のフローチャートの続きである。
【図６】光ディスク判別のために光ディスク装置が検出する光の種類をまとめた説明図である。
【符号の説明】
【００５２】
２０   光ディスク装置
２１   光ディスク
２２   スピンドルモータ
２４   光ピックアップ
２５   スレッド軸
２６   ＲＦアンプ
２７   送りモータ
２８   サーボプロセッサ
２９   リードイン
３０   エンコーダ
３１   ＰＬＬ回路
３２   レーザドライバ
４０   ＵＶＬＥＤ
４２   白色ＬＥＤ
４４   青色ＬＥＤ
４６   ＲＧＢセンサ
４８   ＣＰＵ
５０   記憶手段
５２   判別手段
５３   比率算出手段
５４   制御手段
５５   測定結果記憶手段                                                
【図１】
2006209878.tif 000003
【図２】
2006209878.tif 000004
【図３】
2006209878.tif 000005
【図４】
2006209878.tif 000006
【図５】
2006209878.tif 000007
【図６】
2006209878.tif 000008